(57)【特許請求の範囲】
【請求項１】
採光窓を備えた戸体であって、
開口を有し断熱性を備えたパネル体と、
前記開口に設けられた複層ガラスと、
前記複層ガラスの周端部が挿入されて前記複層ガラスを保持し、アルミニウム製のアルミ部と合成樹脂製の樹脂部とを備えたガラス保持部材と、
を有し、
前記複層ガラスに設けられたガラス内中空部より室内側と室外側とに渡ってアルミニウム製の部位またはアルミニウムより熱伝導率が高い部位が配置されない低熱伝導領域が、前記複層ガラスの面内方向において前記ガラス内中空部と前記パネル体との間に渡って設けられており、
前記ガラス保持部材は、室内側に配置されて前記複層ガラスの周端部が挿入されるガラス外縁挿入部を備え前記樹脂部でなる室内部材と、
前記室内部材の室外側にて前記複層ガラスと前記パネル体とに渡るように配置され、室外側に配置されて前記アルミ部でなる室外部材と、を有し、
前記低熱伝導領域には、前記室内部材が位置していることを特徴とする戸体。
【請求項２】
請求項１に記載の戸体であって、
前記樹脂部は、前記ガラス外縁挿入部と当該複層ガラスの面内方向に並ぶ位置に複数の樹脂中空部を有し、
前記複数の樹脂中空部のうちの少なくとも1つには、前記アルミ部をなすアルミニウム部材が設けられており、
前記低熱伝導領域には、前記アルミニウム部材が設けられた前記樹脂中空部より室内側に設けられた前記樹脂中空部が位置していることを特徴とする戸体。
【請求項３】
請求項１に記載の戸体であって、
前記低熱伝導領域には、前記ガラス保持部材の前記樹脂部と前記パネル体との間に前記複層ガラスの面内方向に隣接して断熱材が設けられることを特徴とする戸体。
【請求項４】
請求項１乃至請求項３のいずれかに記載の戸体であって、
前記複層ガラスは複数の前記ガラス内中空部を備え、
前記低熱伝導領域は、複数の前記ガラス内中空部のうちの最も室内側に位置する前記ガラス内中空部と前記パネル体との間に設けられていることを特徴とする戸体。
【請求項５】
請求項１乃至請求項４のいずれかに記載の戸体であって、
前記複層ガラスは、互いに対面するガラス板の周端部間に合成樹脂製のスペーサーが介在されており、
前記ガラス保持部材は、前記周端部が挿入された前記複層ガラスを面外方向における両側から気密に保持する気密保持材を有しており、
前記気密保持材は、前記スペーサーより前記複層ガラスの中央側にて当該複層ガラスを保持することを特徴する戸体。
【請求項６】
請求項１に記載の戸体であって、
前記低熱伝導領域には、前記樹脂部に設けられた樹脂中空部に断熱材が設けられていることを特徴とする戸体。
【請求項７】
請求項１乃至請求項６のいずれかに記載の戸体と、
前記戸体を回動自在に支持する枠体と、を有する建具。
【発明の詳細な説明】
【技術分野】
【０００１】
本発明は、室内外の境界に配置され採光窓を備えた戸体および建具に関する。
【背景技術】
【０００２】
室内外の境界に配置され採光窓を備えた戸体および建具としては、枠体にヒンジを介して開閉自在に設けられるドア本体に採光を目的として複層ガラスが装着された開口部装置が知られている(例えば、特許文献１参照)。この開口部装置は複層ガラスを備えるため、複層ガラスを支持可能な強度を備えるアルミニウム製の支持枠部材が、ドア本体の開口部の周縁に室外側から室内側に渡るように配置されており、支持枠部材に複層ガラスが装着されている。
【先行技術文献】
【特許文献】
【０００３】
【特許文献１】特許第４５７３６６６号公報
【発明の概要】
【発明が解決しようとする課題】
【０００４】
上述したアルミニウム製の支持枠部材は、強度は得られやすいが熱伝導率が高いため、アルミニウム製の支持枠部材が室外側から室内側に渡るように配置されていると室内外において熱が伝達されやすく、断熱性が悪いという課題がある。
本発明は、かかる課題に鑑みてなされたものであり、その目的とするところは、採光部を有しつつも断熱性に優れた戸体および建具を提供することにある。
【課題を解決するための手段】
【０００５】
かかる目的を達成するために本発明の戸体は、採光窓を備えた戸体であって、開口を有し断熱性を備えたパネル体と、前記開口に設けられた複層ガラスと、前記複層ガラスの周端部が挿入されて前記複層ガラスを保持し、アルミニウム製のアルミ部と合成樹脂製の樹脂部とを備えたガラス保持部材と、を有し、前記複層ガラスに設けられたガラス内中空部より室内側と室外側とに渡ってアルミニウム製の部位またはアルミニウムより熱伝導率が高い部位が配置されない低熱伝導領域が、前記複層ガラスの面内方向において前記ガラス内中空部と前記パネル体との間に渡って設けられており、前記ガラス保持部材は、室内側に配置されて前記複層ガラスの周端部が挿入されるガラス外縁挿入部を備え前記樹脂部でなる室内部材と、前記室内部材の室外側にて前記複層ガラスと前記パネル体とに渡るように配置され、室外側に配置されて前記アルミ部でなる室外部材と、を有し、前記低熱伝導領域には、前記室内部材が位置していることを特徴とする戸体である。
【０００６】
このような戸体によれば、複層ガラスを保持するガラス保持部は、アルミニウム製のアルミ部と合成樹脂製の樹脂部とを備えているので、アルミ部により複層ガラスを支持するための強度を備えることが可能である。
また、複層ガラスの面内方向において、戸体が備える複層ガラスのガラス内中空部とパネル体との間に渡って、アルミニウム製の部位またはアルミニウムより熱伝導率が高い部位が配置されない低熱伝導領域が設けられているので、複層ガラスおよびパネル体はもとより、複層ガラスとパネル体との間においても室内外において熱が伝わり難い。このため、開口部の全幅に渡って、見込み方向におけるガラス中空部の位置にて熱が伝達され難い部位が配置され、採光部を有しつつも断熱性に優れた戸体を提供することが可能である。
【０００８】
また、樹脂部でなる室内部材が低熱伝導領域に位置しているので、室内部材をガラス内中空部とパネル体との間に配置することにより、アルミ部が存在しない低熱伝導領域を容易に備えることが可能である。
【０００９】
かかる戸体であって、前記樹脂部は、前記ガラス外縁挿入部と当該複層ガラスの面内方向に並ぶ位置に複数の樹脂中空部を有し、前記複数の樹脂中空部のうちの少なくとも1つには、前記アルミ部をなすアルミニウム部材が設けられており、前記低熱伝導領域には、前記アルミニウム部材が設けられた前記樹脂中空部より室内側に設けられた前記樹脂中空部が位置していることが望ましい。
【００１０】
このような戸体によれば、ガラス挿入部と複層ガラスの面内方向に並ぶ位置に設けられた複数の樹脂中空部にアルミニウムミ部材が設けられているので、ガラス保持部材に高い強度を備えることが可能である。また、低熱伝導領域には、アルミニウム部材が設けられた樹脂中空部より室内側に設けられた樹脂中空部が位置しているので、ガラス内中空部と樹脂中空部とパネル体とが繋がってアルミ部が存在しない低熱伝導領域を確実に備えることが可能である。
【００１１】
かかる戸体であって、前記低熱伝導領域には、前記ガラス保持部材の前記樹脂部と前記パネル体との間に前記複層ガラスの面内方向に隣接して断熱材が設けられることとしてもよい。
【００１２】
このような戸体によれば、低熱伝導領域には、ガラス保持部材の樹脂部とパネル体との間に隣接して断熱材が設けられているので、ガラス保持部材に複層ガラスの周端部を挿入してパネル体に保持させるだけで、ガラス内中空部とパネル体との間に断熱材を備えた低熱伝導領域を設けることが可能であり、より優れた断熱性を備えることが可能である。
【００１３】
かかる戸体であって、前記複層ガラスは複数の前記ガラス内中空部を備え、前記低熱伝導領域は、複数の前記ガラス内中空部のうちの最も室内側に位置する前記ガラス内中空部と前記パネル体との間に設けられていることが望ましい。
【００１４】
このような戸体によれば、低熱伝導領域が、最も室内側に位置するガラス内中空部とパネル体との間に設けられているので、少なくとも最も室内側に位置するガラス内中空部より室内側に室外側の熱が伝達されることを抑制することが可能である。
【００１５】
かかる戸体であって、前記複層ガラスは、互いに対面するガラス板の周端部間に合成樹脂製のスペーサーが介在されており、前記ガラス保持部材は、前記周端部が挿入された前記複層ガラスを面外方向における両側から気密に保持する気密保持材を有しており、前記気密保持材は、前記スペーサーより前記複層ガラスの中央側にて当該複層ガラスを保持することが望ましい。
【００１６】
このような戸体によれば、ガラス保持材の気密保持材が複層ガラスのスペーサーよりもガラスの中央側に配置されるため、ガラス保持部材の面内方向端部は、スペーサーを覆う構成となる。そのため、ガラス周端部の熱伝導をより効果的に遮断することができ、より断熱性に優れた戸体を提供することが可能である。
【００１７】
かかる戸体であって、前記低熱伝導領域には、前記樹脂部に設けられた樹脂中空部に断熱材が設けられていることが望ましい。
このような戸体によれば、ガラス保持部材の樹脂部に設けられた樹脂中空部に断熱材が設けられているので、より断熱性に優れた戸体を提供することが可能である。
【００１８】
また、前記戸体と、前記戸体を回動自在に支持する枠体と、を有する建具である。
このような建具によれば、採光部を有しつつも断熱性に優れた戸体を有する建具を提供することが可能である。
【発明の効果】
【００１９】
本発明によれば、採光部を有しつつも断熱性に優れた戸体および建具を提供することが可能である。
【図面の簡単な説明】
【００２０】
【図１】本実施形態に係る扉を室内側から見た正面図である。
【図２】本発明に係る建具の縦断面図である。
【図３】図２におけるＡ部の拡大図である。
【図４】本発明に係る建具の平断面図である。
【図５】図４におけるＢ部の拡大図である。
【図６】本発明の第一変形例を示す平断面図である。
【図７】本発明の第二変形例を示す平断面図である。
【発明を実施するための形態】
【００２１】
以下、本発明の一実施形態に係る戸体および建具について図面を参照して説明する。
本実施形態では、戸体として、図１〜図３に示すように、玄関に用いられる玄関扉（以下、扉という）１０および扉１０を回動自在に支持する枠体２を含む建具１を例に挙げて説明する。
【００２２】
以下の説明においては、建具１が建物に取り付けられている状態で室内側から見たときに、上下となる方向を上下方向、左右となり扉の幅側となる方向を左右方向または幅方向、室内外方向である奥行き方向を見込み方向または扉１０の厚み方向として示す。また、建具１を構成する各部材及び各部位については、単体の状態であっても扉が取り付けられた状態で上下方向、左右方向、見込み方向等となる方向にて方向を特定して説明する。
【００２３】
戸体としての扉１０は、図１に示すように、左右方向における中央部に上下方向に沿って縦長の採光窓２０を備えている。図１においては、右側が扉１０の戸先側であり、左側が扉１０の吊元側である。
【００２４】
扉１０は、図２〜図５に示すように、採光窓２０が形成される開口部１０ａを備え建物の躯体に固定された枠体２にヒンジ（不図示）により回動自在に支持される戸本体１２と、採光窓２０を形成する複層ガラス２１と、開口部１０ａに設けられて複層ガラス２１を保持する額縁２２と、を有している。
【００２５】
戸本体１２は、パネル状をなす２種類の断熱材１３ａ、１３ｂを対面させて形成されたパネル体１３と、室外側の断熱材（以下、外断熱材という）１３ａの外周部を囲むように外断熱材１３ａの四辺に設けられた鉄製の補強材１４と、補強材１４の外周面を覆うアルミニウム製の周端部外カバー１５と、室内側の断熱材（以下、内断熱材という）１３ｂの外周面を覆い周端部外カバー１５とともに戸本体１２の外周面を形成する合成樹脂製の周端部内カバー１６と、パネル体１３および補強材１４により形成される室内側および室外側の面を各々覆い塗装や処理などの化粧が施された鋼板製の２枚の表面材１７と、を有している。戸本体１２を形成する、外断熱材１３ａ、内断熱材１３ｂおよび２枚の表面材１７には、各々の中央に、採光窓２０が形成される開口部１０ａをなす開口が形成されている。
【００２６】
複層ガラス２１は、３枚のガラス板２１ａが見込み方向に互いに間隔を隔てて対面させて配置され、対面するガラス板２１ａ間の周端部２１ｅに全周に渡って合成樹脂製のスペーサー２１ｂが介在されて接合されている。すなわち、３枚のガラス板２１ａから成る複層ガラス２１は、２つのガラス内中空部２１ｃを有しており、額縁２２により戸本体１２に取り付けられた場合には、２つのガラス内中空部２１ｃが見込み方向に並ぶように配置される。
【００２７】
額縁２２は、複層ガラス２１を囲むように設けられ、室内側に配置されて樹脂製の樹脂部である室内部材としての額縁本体２３と、額縁本体２３の室外側にて複層ガラス２１と戸本体１２とに渡るように配置され、室外側に配置されてアルミニウム製のアルミ部である室外部材としての外側額縁材２８と、額縁本体２３の室内側にて複層ガラス２１と戸本体１２とに渡って額縁本体２３を覆う額縁カバー材２９とを有している。
【００２８】
額縁本体２３は、複層ガラス２１の左右に配置される一対の縦額縁２４、２５と、複層ガラス２１の上下に配置される上額縁２６および下額縁２７とが矩形状に接合されて形成されている。
【００２９】
左の縦額縁２４と右の縦額縁２５とは、長手方向（上下方向）において単一の断面形状をなす部位が全長に渡って連続する形状をなす同一の部材であり、互いの左右が逆になるように配置されて上額縁２６および下額縁２７に固定される。また、上額縁２６と下額縁２７とは、長手方向（左右方向）において単一の断面形状をなす部位が全長に渡って連続する形状をなす同一の部材であり、互いの上下が逆になるように配置されて左の縦額縁２４および右の縦額縁２５に固定される。ここで上額縁２６および下額縁２７は、左の縦額縁２４および右の縦額縁２５と接合するためのビスホール２６ｈ、２７ｈを有している点のみが左の縦額縁２４および右の縦額縁２５と相違する。このため、左右の縦額縁２４、２５、上額縁２６および下額縁２７については、同一形状部分を左の縦額縁２４にて説明する。以下の説明において、矩形状に枠組みされた額縁本体２３の状態で、複層ガラス２１側を内側、パネル体１３側を外側として説明する。また、右の縦額縁２４、２５、上額縁２６および下額縁２７において左の縦額縁２４と同一の部位には、各々右の縦額縁２４、２５、上額縁２６および下額縁２７を示す番号の後に同一のアルファベット添えた符号を付して示すものとする。
【００３０】
左の縦額縁２４は、複層ガラス２１の左縁をなす複層ガラス２１の左側面２１ｄと対向するガラス側面対向部２４ａと、ガラス側面対向部２４ａの室外側の縁から右の縦額縁２５側に延出された内側延出部２４ｂと、ガラス側面対向部２４ａと繋がって室内側に設けられた室内縁部２４ｃと、ガラス側面対向部２４ａにおける室内側の部位とパネル体１３との間に上下方向に沿った樹脂中空部２４ｅをガラス側面対向部２４ａおよび室内縁部２４ｃとともに形成する中空形成部２４ｄと、を有している。
【００３１】
室内縁部２４ｃは、内側延出部２４ｂと対向する位置から中空形成部２４ｄとに跨がるように形成されており、ガラス側面対向部２４ａより左側の部位が樹脂中空部２４ｅを形成している。また、室内縁部２４ｃの左端には、額縁本体２３を戸本体１２の開口部１０ａに取り付けたときに戸本体１２に渡るように形成された戸本体内係合部２４ｆが設けられている。
【００３２】
左の縦額縁２４のガラス側面対向部２４ａと内側延出部２４ｂと室内縁部２４ｃのガラス側面対向部２４ａの右側の部位とは、水平断面がコ字状をなし右の縦額縁２５側が開放されて複層ガラス２１の周端部である左縁が挿入されるガラス外縁挿入部２４ｇをなしている。内側延出部２４ｂおよび室内縁部２４ｃの右端部には、互いに対向する側に複層ガラス２１を水密に保持するための気密保持材としてのシール材５が設けられている。複層ガラス２１は、ガラス側面対向部２４ａと複層ガラス２１の側面２１ｄとの間に合成樹脂製のセッティングブロック６を介してガラス外縁挿入部２４ｇに挿入されている。
【００３３】
中空形成部２４ｄと、ガラス側面対向部２４ａにおける室内側の部位と、室内縁部２４ｃの左側の部位にて形成された樹脂中空部２４ｅは、複層ガラス２１がガラス外縁挿入部２４ｇに挿入された状態で、複層ガラス２１が有する室内側のガラス内中空部２１ｃと左右方向に並ぶ位置に形成されている。
【００３４】
上額縁２６および下額縁２７の中空形成部２６ｄ、２７ｄには、室外側の端部にビスホール２６ｈ、２７ｈが設けられている。このため、上額縁２６および下額縁２７の樹脂中空部２６ｅ、２７ｅは、左の縦額縁２４および右の縦額縁２５の樹脂中空部２４ｅ、２５ｅより見込み方向の幅が、ビスホール２６ｈ、２７ｈを設けている分だけ狭く形成されている。
【００３５】
左の縦額縁２４の室外側に配置される外側額縁材２８は、アルミニウム製の押し出し成形部材であり、額縁本体２３の中空形成部２４ｄの室外側に設けられる外額縁本体２８ａと、外額縁本体２８ａの室外側の縁から額縁本体２３の内側に延出され内側延出部２４ｂを室外側から覆う内側カバー部２８ｂと、外額縁本体２８ａの室外側の縁から額縁本体２３の外側に額縁本体２３を戸本体１２の開口部１０ａに取り付けたときに戸本体１２に渡るように形成された戸本体外係合部２８ｃとを有している。上額縁２６、下額縁２７、および、左右の縦額縁２４、２５を室外側から覆う各外側額縁材２８は、いずれも同一の押し出し形成部材であり、適宜長さに切断されて用いられる。
【００３６】
外額縁本体２８ａは、内側カバー部２８ｂにて内側延出部２４ｂを覆うように配置した際に、ガラス側面対向部２４ａの室外側の部位に沿うガラス側壁部２８ｄと、ガラス側壁部２８ｄと左右方向に間隔を隔てて対向するパネル側壁部２８ｅとを有し、ガラス側壁部２８ｄとパネル側壁部２８ｅとの室外側の縁は、内側カバー部２８ｂおよび戸本体外係合部２８ｃと同一平面を形成する部位で繋がっており、ガラス側壁部２８ｄとパネル側壁部２８ｅとの室内側はリブ２８ｆで繋がっている。すなわち、外額縁本体２８ａは、リブ２８ｆより室外側に上下方向に沿った中空部２８ｇを有している。ガラス側壁部２８ｄとパネル側壁部２８ｅとの室内側の縁は、リブ２８ｆより室内側に延出されており、互いに対向する側に延出されてスリット２８ｈを形成している。
【００３７】
外側額縁材２８のリブ２８ｆは、室内縁部２４ｃ、２５ｃ、２６ｃ、２７ｃと中空形成部２４ｄ、２５ｄ、２６ｄ、２７ｄとを貫通するビス３０が螺合されることにより額縁本体２３と外側額縁材２８とが接合されるとともに戸本体１２に取り付けられる。このため、外額縁本体２８ａのガラス側壁部２８ｄとパネル側壁部２８ｅとの間隔、すなわちリブ２８ｆの幅は、少なくともビス３０が螺合可能な幅である。
【００３８】
また、リブ２８ｆの幅とほぼ同幅に形成され、ビス３０が貫通する、ガラス側面対向部２４ａ、２５ａ、２６ａ、２７ａと中空形成部２４ｄ、２５ｄ、２６ｄ、２７ｄとの間の樹脂中空部２４ｅ、２５ｅ、２６ｅ、２７ｅは、空間なので大きくなると樹脂中空部２４ｅ、２５ｅ、２６ｅ、２７ｅ内にて対流が生じて熱を伝達する虞がある。このため、ガラス側壁部２８ｄとパネル側壁部２８ｅとの間隔および樹脂中空部２４ｅ、２５ｅ、２６ｅ、２７ｅの幅は、リブ２８ｆにビス３０が螺合可能であるとともに可求的に狭いことが望ましい。
【００３９】
左の縦額縁２４を室内側から覆う左側の額縁カバー材２９は、アルミニウム製の押し出し成形部材であり、左の縦額縁２４の室内縁部２４ｃから戸本体内係合部２４ｆに渡り、左の縦額縁２４と間隔を隔てて配置され室内側から覆うカバー壁部２９ａと、カバー壁部２９ａの左右の縁部から左の縦額縁２４側に延出されて先端に左の縦額縁２４への係止部２９ｂを備えた係止片２９ｃと、カバー壁部２９ａの左の縦額縁２４側に設けられて室内縁部２４ｃまたは戸本体内係合部２４ｆに当接して各々との間隔を保つ当接リブ２９ｄと、を有している。上額縁２６、下額縁２７、および、左右の縦額縁２４、２５を室外側から覆う各額縁カバー材２９は、いずれも同一の押し出し形成部材であり、適宜長さに切断されて用いられる。
【００４０】
戸本体１２に額縁２２を介して複層ガラス２１を取り付けて扉１０を形成するときには、まず、複層ガラス２１の周端部２１ｅを、上額縁２６、下額縁２７、および、左右の縦額縁２４、２５の各ガラス外縁挿入部２４ｇ、２５ｇ、２６ｇ、２７ｇに挿入し、左右の縦額縁２４、２５における上下端部の側方から上額縁２６及び下額縁２７のビスホール２６ｈ、２７ｈにビスを螺合して矩形状の額縁本体２３の内側に複層ガラス２１を装着する。このとき、複層ガラス２１の各側面２１ｄと上額縁２６、下額縁２７、および、左右の縦額縁２４、２５の各ガラス側面対向部２４ａ、２５ａ、２６ａ、２７ａとの間に各々セッティングブロック６を介在させる。
【００４１】
複層ガラス２１は、上額縁２６、下額縁２７、および、左右の縦額縁２４、２５すなわち額縁本体２３に囲まれた状態でユニット化される。ユニット化された状態では、シール材５は、スペーサー２１ｂより複層ガラス２１の中央側に位置している。すなわち、シール材５は、スペーサー２１ｂより複層ガラス２１の中央側にて複層ガラス２１を保持している。ここで、額縁２２がガラス保持部材に相当する。
【００４２】
次に、複層ガラス２１が装着された額縁本体２３を室内側から戸本体１２に設けられた開口部１０ａに挿入し、上額縁２６、下額縁２７、および、左右の縦額縁２４、２５に設けられた各戸本体内係合部２４ｆ、２５ｆ、２６ｆ、２７ｆを戸本体１２の開口部１０ａの周縁と室内側にて係合させる。このとき、複層ガラス２１が装着された額縁本体２３を、内側延出部２４ｂ、２５ｂ、２６ｂ、２７ｂが上側に位置するように配置し、戸本体１２を上方から載置して開口部１０ａに複層ガラス２１を配置しても良い。
【００４３】
次に、室外側から４つの外側額縁材２８を、上額縁２６、下額縁２７、および、左右の縦額縁２４、２５の各々と対向させ、外側額縁材２８の各外額縁本体２８ａをガラス側面対向部２４ａ、２５ａ、２６ａ、２７ａとパネル体１３との間に挿入し、各戸本体外係合部２８ｃを戸本体１２の開口部１０ａの周縁と室外側にて係合させる。このとき、上額縁２６、下額縁２７、および、左右の縦額縁２４、２５の中空形成部２４ｄ、２５ｄ、２６ｄ、２７ｄと外側額縁材２８の外額縁本体２８ａとが、各々見込み方向に対向して配置されており、室内側から上額縁２６、下額縁２７、および、左右の縦額縁２４、２５の室内縁部２４ｃ、２５ｃ、２６ｃ、２７ｃと中空形成部２４ｄ、２５ｄ、２６ｄ、２７ｄとを貫通するビス３０を外側額縁材２８のリブ２８ｆに螺合することにより戸本体１２に複層ガラス２１が装着された額縁本体２３と４つの外側額縁材２８とが固定される。ビス３０はリブ２８ｆに螺合されるときに外側額縁材２８に設けられたスリット２８ｈの縁と接触し、ビス３０がスリット２８ｈの幅方向における中央に案内されることにより額縁本体２３と４つの外側額縁材２８との位置決めがなされる。
【００４４】
最後に、額縁本体２３の上額縁２６、下額縁２７、および、左右の縦額縁２４、２５の各々に、室内側から額縁カバー材２９が装着されて扉１０が完成する。戸本体１２に採光窓２０が取り付けられた扉１０は、複層ガラス２１の室内側のガラス内中空部２１ｃと、上額縁２６、下額縁２７、および、左右の縦額縁２４、２５が備える樹脂中空部２４ｅ、２５ｅ、２６ｅ、２７ｅと、断熱材１３ａ、１３ｂでなるパネル体１３とが、扉１０の面内方向に並ぶ領域を有している。すなわち、樹脂中空部２４ｅ、２５ｅ、２６ｅ、２７ｅと、断熱材１３ａ、１３ｂでなるパネル体１３が、扉１０の面内方向に並ぶ領域が低熱伝導領域Ｒに相当する。
【００４５】
本実施形態の扉１０によれば、アルミニウム製のアルミ部としての外側額縁材２８と合成樹脂製の樹脂部としての額縁本体２３とを備えているので、アルミ部でなる外側額縁材２８により複層ガラスを支持するための強度を備えることが可能である。このとき、上額縁２６、下額縁２７、および、左右の縦額縁２４、２５の各々が有するアルミ部および樹脂部の２つの部材は、各々単一の材料で形成されているので製造が容易である。また、樹脂部でなる室内部材が低熱伝導領域Ｒに位置しているので、容易にアルミ部が存在しない低熱伝導領域Ｒを備えることが可能である。
【００４６】
また、複層ガラス２１の面内方向において、扉１０が備える複層ガラス２１のガラス内中空部２１ｃとパネル体１３との間に渡ってアルミ部はもとよりアルミニウム製の部位またはアルミニウムより熱伝導率が高い部位が配置されない低熱伝導領域Ｒが設けられているので、複層ガラス２１およびパネル体１３はもとより、複層ガラス２１とパネル体１３との間においても室内外方向に熱が伝わり難い。このため、扉１０の全周に渡って、見込み方向におけるガラス内中空部２１ｃの位置にて熱が伝達され難い部位が繋がるので、採光窓２０を有しつつも断熱性に優れた扉１０を提供することが可能である。
【００４７】
また、低熱伝導領域Ｒには、合成樹脂製の上額縁２６、下額縁２７、および、左右の縦額縁２４、２５と、上額縁２６、下額縁２７、および、左右の縦額縁２４、２５が備える樹脂中空部２４ｅ、２５ｅ、２６ｅ、２７ｅとが位置しているので、上額縁２６、下額縁２７、および、左右の縦額縁２４、２５に複層ガラス２１の周端部２１ｅを挿入してパネル体１３に保持させるだけで、ガラス内中空部２１ｃとパネル体１３との間に低熱伝導領域Ｒを設けることが可能である。このとき、複層ガラス２１の外周部の全周に設けられた低熱伝導領域Ｒには、上額縁２６、下額縁２７、および、左右の縦額縁２４、２５と外側額縁材２８を固定するビス３０以外に金属は存在しない。すなわち、ビスを除く領域は金属が存在しない無金属領域なので、より高い断熱性を備えることが可能である。このとき、低熱伝導領域Ｒにおいてビスが占める領域は小さく、ビスによる熱伝導の影響は小さいので断熱の妨げとならない。このため、より高い断熱性能を備えることが可能である。
【００４８】
また、低熱伝導領域Ｒが、最も室内側に位置するガラス内中空部２１ｃとパネル体１３との間に設けられているので、少なくとも最も室内側に位置するガラス内中空部２１ｃより室内側に室外側の熱が伝達されることを抑制することが可能である。
【００４９】
また、複層ガラス２１は上額縁２６、下額縁２７、および、左右の縦額縁２４、２５に囲まれた状態、すなわち額縁本体２３に装着されてユニット化されているので、複層ガラス２１および額縁本体２３のパネル体１３への装着が容易である。そして、ユニット化された複層ガラス２１および上額縁２６、下額縁２７、および、左右の縦額縁２４、２５をパネル体１３に装着するだけで、ガラス内中空部２１ｃとパネル体１３との間に渡る低熱伝導領域Ｒを設けることが可能である。
【００５０】
また、複層ガラス２１の周端部２１ｅにおいてスペーサー２１ｂが介在されている部位が、内側延出部２４ｂおよび室内縁部２４ｃの右端部には、互いに対向する側に複層ガラス２１を水密に保持するためのシール材５より奥側に位置するので、複層ガラス２１のスペーサー２１ｂが介在されている部位は、保持されるシール材５より複層ガラス２１の中央側に配置されない。このため、複層ガラス２１においてシール材５より中央側はガラス内中空部２１ｃが位置しているので、熱が伝達され難い部位が途切れることなく繋がり、より高い断熱性を備えることが可能である。
また、扉１０は回動自在に枠体２に支持されているので、採光窓２０を有しつつも断熱性に優れた扉１０を有する建具１を提供することが可能である。
【００５１】
上記実施形態においては、低熱伝導領域Ｒを、合成樹脂製の上額縁２６、下額縁２７、および、左右の縦額縁２４、２５と、上額縁２６、下額縁２７、および、左右の縦額縁２４、２５とが備える樹脂中空部２４ｅ、２５ｅ、２６ｅ、２７ｅをガラス内中空部２１ｃとパネル体１３との間に位置させて形成した例について説明したが、これに限るものではない。例えば、図６に示すように、上額縁２６、下額縁２７、および、左右の縦額縁２４、２５に中空部を設けることなく、室内縁部２４ｃと外側額縁材２８の外額縁本体２８ａとが互いに間隔を隔てて対向するように配置して、室内縁部２４ｃと外額縁本体２８ａとの間にガラス側面対向部２４ａと隣接させて、例えば発泡ウレタン等の断熱材３７を設け、この断熱材３７をガラス内中空部２１ｃとパネル体１３との間に位置させて低熱伝導領域Ｒを形成してもよい。この場合にも、合成樹脂製の上額縁２６、下額縁２７、および、左右の縦額縁２４、２５に複層ガラス２１の周端部を挿入してパネル体１３に保持させるだけで、ガラス内中空部２１ｃとパネル体１３との間に断熱材３７を備えた低熱伝導領域Ｒを設けることが可能であり、より優れた断熱性を備えることが可能である。
【００５２】
上記実施形態においては、ガラス保持部材が、室内側に配置されて樹脂製の樹脂部である室内部材としての額縁本体２３と、室外側に配置されてアルミニウム製のアルミ部である室外部材としての外側額縁材２８との２つの部材を有する例について説明したが、室内側に配置される樹脂部と室外側に配置されるアルミ部とが一体に形成されていても構わない。
【００５３】
また、上記実施形態においては、複層ガラス２１を額縁２２により戸本体１２に取り付けている例について説明したが、これに限らず、図７に示すように、矩形状をなす合成樹脂製のガラス保持部材３５に複層ガラス２１の周端部を収容してパネル体１３に設けられた開口に装着し、パネル体１３の両面を鋼板製の２枚の表面材１７にて覆う形態であっても構わない。この場合には、例えば、ガラス保持部材３５の樹脂部に複層ガラス２１の面内方向に並ぶ位置に、見込み方向に並べて複数の樹脂中空部３５ａを形成していずれかの樹脂中空部３５ａにアルミ部をなす金属製の補強材３６を備えて剛性を高めておくことが望ましい。この場合には、合成樹脂製のガラス保持部材３５と、補強材３６が備えられていない樹脂中空部３５ａとを、ガラス内中空部２１ｃとパネル体１３との間に位置させた低熱伝導領域Ｒを形成する。
【００５４】
上記実施形態においては、戸体として玄関扉を例に挙げて説明したが、これに限らず、居室などの室内外を仕切る扉であっても、また、面内方向に移動する障子等であっても構わない。
また、上記実施形態では、パネル体１３を２種類の断熱材１３ａ、１３ｂを対面させて形成した例について説明したが、いずれか一方のみが断熱材であっても、また、単一の断熱材のみにてパネル体が形成されていても構わない。
【００５５】
また、上記実施形態において、ガラス内中空部２１ｃとパネル体１３との間に設けた低熱伝導領域Ｒの樹脂中空部２４ｅ、２５ｅ、２６ｅ、２７ｅ、３５ａに、例えば、発泡ウレタン等の断熱材を設けることにより、更に断熱性を高めることが可能である。また、上記実施形態においては、中空部を備えない上額縁２６、下額縁２７、および、左右の縦額縁２４、２５の例として左の縦額縁２４にて、室内縁部２４ｃと外額縁本体２８ａとの間にガラス側面対向部２４ａと隣接させて断熱材３７を設けた例について説明したが、中空部を備えない上額縁、下額縁および左右の縦額縁の室内縁部と外額縁本体との間は断熱材を備えず空隙であっても構わない。
【００５６】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５７】
１  建具、２  枠体、５  シール材、１０  扉、１０ａ  開口部、１３  パネル体、
２０  採光窓、２１  複層ガラス、２１ａ  ガラス板、２１ｂ  スペーサー、
２１ｃ  ガラス内中空部、２１ｅ  複層ガラスの周端部、２３  額縁本体、
２４  左の縦額縁、２４ｅ  樹脂中空部、２５  右の縦額縁、２５ｅ  樹脂中空部、
２６  上額縁、２６ｅ  樹脂中空部、２７  下額縁、２７ｅ  樹脂中空部、
２８  外側額縁材、３５  ガラス保持部材、３５ａ  樹脂中空部、３７  断熱材、
Ｒ  低熱伝導領域
【図１】
0006529767.tif 000002
【図２】
0006529767.tif 000003
【図３】
0006529767.tif 000004
【図４】
0006529767.tif 000005
【図５】
0006529767.tif 000006
【図６】
0006529767.tif 000007
【図７】
0006529767.tif 000008